(57)【特許請求の範囲】
【請求項１】
浴室の出入口となる開口にドア本体を回動自在に設けて開口を開閉自在にし、開口に設けるドア枠の吊元側縦枠の下部にドア本体の吊元側縦框の下部との間を気密的にシールするドア隅パッキンを設け、上記ドア本体の開閉時にドア本体の吊元側縦框とドア隅パッキンとが密着状態に保たれるように該吊元側縦框の角隅部とこれに対向するドア隅パッキンの内面とをそれぞれ面取りすると共に、ドア隅パッキンの上面に浴室側へ向かって下り勾配を有する傾斜面を設け、ドア隅パッキンの上方にドア枠の吊元側縦枠の上部とドア本体の吊元側縦框の上部との間を隠蔽する隠蔽パッキンを設け、隠蔽パッキンの一部にドア隅パッキンの傾斜面から浴室内へ通じる排水用孔部を設けたことを特徴とするドア隅の防水構造。
【請求項２】
浴室の出入口となる開口にドア本体を回動自在に設けて開口を開閉自在にし、開口に設けるドア枠の吊元側縦枠の下部にドア本体の吊元側縦框の下部との間を気密的にシールするドア隅パッキンを設けると共に、ドア隅パッキンの上面に浴室側へ向かって下り勾配を有する傾斜面を設け、ドア本体にドア隅パッキンの傾斜面の下端部からドア本体に設けたガラリ部まで通じる排水路を設け、ガラリ部を通じて浴室内に排水するようにしたことを特徴とするドア隅の防水構造。
【発明の詳細な説明】
【０００１】
【発明の属する技術分野】
本発明は、ドア隅の防水構造に関し、詳しくはドア本体とドア枠との隙間に入り込んだ湯水が該隙間を伝ってドア枠の下枠に流れ落ちて脱衣室側へ漏出するのを防止するための技術に関するものである。
【０００２】
【従来の技術】
従来、浴室出入口に設置されるドア枠にドア本体が回転自在に支持されてなるドアユニットにあっては、ドア隅の隙間、すなわちドア枠の吊元側縦枠とこれに対向するドア本体の吊元側縦框との間の隙間を防水構造とするため、該隙間全体をヒレ状パッキンにて隠蔽したものが知られている。
【０００３】
ところが、浴室内の湯水がヒレ状パッキンを越えてドア枠とドア本体との隙間に浸入する場合があり、この浸入した湯水が隙間を伝ってドア枠の下枠まで流れ落ち、脱衣室へ漏水してしまうという問題がある。特に近年は、浴室出入口のバリアフリーによってドア枠の下枠と脱衣室の床面とが面一化されており、下枠上に流れ落ちが湯水が脱衣室の床側に漏出し易くなる。
【０００４】
これを防止するために、従来ではドア枠の下枠に以下のような止水機構を設けていた。止水機構としては、下枠の上面に堰を突出させたり、或いは浴室側へ向かって下り勾配を設けることで、湯水を浴室内へ排水するようにしている。また複数の堰を突出させた場合にあっては、浴室側に位置する堰の下端側に排水孔を開口して、この排水孔から浴室内へ湯水を排水するようにしている。
【０００５】
【発明が解決しようとする課題】
ところが、従来の止水機構では、浴室出入口に堰や勾配による段差が生じてしまい、浴室の洗い場と脱衣室との間に段差のないバリアフリー化を実現できないという問題がある。尚、脱衣室の床面に防水処理を施すことも考えられるが、この場合、コストが高くつくという問題がある。
【０００６】
尚、他の従来例として、ドア枠の下枠の下方に排水溝と排水管とを設けて、湯水を直接排水することも行なわれているが、この場合、下枠の下方に配管スペースが別途必要となり、構造の複雑化と高コスト化を招くという問題がある。
【０００７】
本発明は、上記の従来例の問題点に鑑みて発明したものであって、その目的とするところは、ドア枠とドア本体との隙間に入り込んだ湯水が該隙間を伝って下枠に流れ落ちるのを防止でき、下枠に止水機構を設けなくても脱衣室側への漏水を防止できるようにしたドア隅の防水構造を提供することにある。
【０００８】
【課題を解決するための手段】
上記課題を解決するために本発明にあっては、浴室の出入口となる開口にドア本体３を回動自在に設けて開口を開閉自在にし、開口に設けるドア枠１の吊元側縦枠２の下部にドア本体３の吊元側縦框４の下部４ａとの間を気密的にシールするドア隅パッキン５を設け、ドア本体３の開閉時にドア本体３の吊元側縦框４とドア隅パッキン５とが密着状態に保たれるように該吊元側縦框４の角隅部４ｃとこれに対向するドア隅パッキン５の内面５ａとをそれぞれ面取りすると共に、ドア隅パッキン５の上面に浴室Ａ側へ向かって下り勾配を有する傾斜面７を設け、ドア隅パッキン５の上方にドア枠１の吊元側縦枠２の上部２ｂとドア本体３の吊元側縦框４の上部４ｂとの間を隠蔽する隠蔽パッキン６を設け、隠蔽パッキン６の一部にドア隅パッキン５の傾斜面７から浴室Ａ内へ通じる排水用孔部８を設けたことを特徴としており、このように構成することで、隠蔽パッキン６からドア本体３とドア枠１との隙間に浸入した湯水は、ドア隅パッキン５の上面に設けた傾斜面７から隠蔽パッキン６に設けた排水用孔部８を通って浴室Ａ内へ排水されることとなる。またこのとき傾斜面７で水の流れに勢いがつくので、排水用孔部８から浴室Ａ内にスムーズに排水されることとなり、下枠２０に従来のような止水機構を設けなくても、脱衣室Ｂへ漏水するのを防止できるようになる。さらに、ドア本体３の開閉時にドア本体３の吊元側縦框４とドア隅パッキン５とが密着状態に保たれるように該吊元側縦框４の角隅部４ｃとこれに対向するドア隅パッキン５の内面５ａとがそれぞれ面取りされているので、ドアの開閉時にドア本体３とドア隅パッキン５との間に隙間が生じなくなり、防水性及び外観性をより一層向上させることができる。
【０００９】
また本発明にあっては、浴室の出入口となる開口にドア本体３を回動自在に設けて開口を開閉自在にし、開口に設けるドア枠１の吊元側縦枠２の下部にドア本体３の吊元側縦框４の下部４ａとの間を気密的にシールするドア隅パッキン５を設けると共に、ドア隅パッキン５の上面に浴室Ａ側へ向かって下り勾配を有する傾斜面７を設け、ドア本体３にドア隅パッキン５の傾斜面７の下端部７ａからドア本体３に設けたガラリ部９まで通じる排水路１０を設け、ガラリ部９を通じて浴室Ａ内に排水するようにしたことを特徴としており、このように構成することで、隠蔽パッキン６からドア本体３とドア枠１との隙間に浸入した湯水は、ドア隅パッキン５の上面に設けた傾斜面７に沿って流れ落ち、さらにドア本体３に設けた排水路１０からドア本体３のガラリ部９の上面９ａを伝って浴室Ａ内に排水されることとなる。
【００１１】
【発明の実施の形態】
以下、本発明を添付図面に示す実施形態に基づいて説明する。
【００１２】
本実施形態のドアユニットは、図１、図２に示すように、浴室の出入口となる開口にドア本体３を回動自在に設けて開口を開閉自在にし、開口に設けるドア枠１の吊元側縦枠２には、浴室Ａ側の端部と脱衣室Ｂ側の端部にそれぞれ凸条１１，１２が吊元側縦枠２の上下全長に亘って突設されている。本例では図２に示すように、浴室Ａ側の凸条１１の突出寸法よりも脱衣室Ｂ側の凸条１２の突出寸法が大きく設定してある。また、ドア枠１の吊元側縦枠２の下部の凸条１１，１２間には、ドア隅パッキン５が嵌め込まれており、両凸条１１，１２の内面に突設させた嵌合部３１にそれぞれ嵌入固定されている。ドア隅パッキン５は、例えば天然あるいは合成ゴム等のゴム状弾性体からなり、脱衣室Ｂ側よりも浴室Ａ側の方が薄肉となるように略角型断面形状を有している。
【００１３】
上記ドア隅パッキン５の上面は、浴室Ａ側へ向かって徐々に下り傾斜した傾斜面７となっている。本例では排水用孔部８に向かって緩やかな傾斜を設けることで、湯水を排水用孔部８から浴室Ａ内へスムーズに排水できるようにしている。尚、ドア隅パッキン５の材質はゴム状弾性体に限られるものではない。またドア隅パッキン５の傾斜面７の高さ及びその傾斜角度は、それぞれ、適宜設計変更自在である。
【００１４】
さらに図２に示すように、ドア本体３の開閉時にドア本体３の吊元側縦框４とドア隅パッキン５とが密着状態に保たれるように、該吊元側縦框４の角隅部４ｃとこれに対向するドア隅パッキン５の内面５ａとがそれぞれ面取りされている。本例では吊元側縦框４の角隅部４ｃは回転中心Ｃを中心とした凸面状に突曲しており、一方、ドア隅パッキン５は吊元側縦框４の凸面形状に沿った凹面状に凹曲しており、これにより、ドアの開閉時にドア本体３の吊元側縦框４とこれに対向するドア隅パッキン５との密着状態が保持されるようになっている。
【００１５】
上記ドア隅パッキン５の上方には、ドア枠１の吊元側縦枠２の上部２ｂとドア本体３の吊元側縦框４の上部４ｂとの間を隠蔽する隠蔽パッキン６が設けられている。この隠蔽パッキン６は例えば天然あるいは合成ゴム等からなるヒレ状のゴム状弾性体からなり、ドア枠１の浴室Ａ側の凸条１１に設けた嵌合部１３（図２）に嵌合固定されており、その先端部分がドア本体３の吊元側縦框４の表面に当接できるようになっている。隠蔽パッキン６の下端部には、ドア隅パッキン５の傾斜面７の下端部７ａを浴室Ａ内へ連通させるための排水用孔部８が切欠き形成されている。
【００１６】
しかして、隠蔽パッキン６からドア本体３とドア枠１との隙間に湯水が浸入した場合、その湯水は図２、図３の矢印イで示すように、ドア隅パッキン５の上面に設けた傾斜面７から隠蔽パッキン６の排水用孔部８を通って浴室Ａ内へ排水される。ここで、傾斜面７と排水用孔部８とが直線上に配置されているため、傾斜面７で水の流れに勢いがつき、排水用孔部８から浴室Ａ内にスムーズに排水されることとなる。しかも、ドア隅パッキン５の厚みを脱衣室Ｂ側よりも浴室Ａ側の方を薄く形成してあるので、隠蔽パッキン６に設けられる排水用孔部８を小さくでき、そのうえ仮りに浴室Ａ内の湯水が排水用孔部８に浸入しても、傾斜面７によって浴室Ａ側に戻されるようになる。しかもドア本体３の吊元側縦框４の角隅部４ｃとこれに対向するドア隅パッキン５の内面５ａとがそれぞれ面取りされているので、ドア本体３の開閉時にドア本体３の吊元側縦框４とドア隅パッキン５とが密着状態に保たれるようになり、これによりドアの開閉によって湯水が脱衣室Ｂ側へ漏出することもなくなる。この結果、ドア隅パッキン５の傾斜面７と排水用孔部８とを利用して、湯水がドア枠１の下枠２０まで流れ落ちるのを防止できる結果、下枠２０に従来のような止水機構を設けなくても、脱衣室Ｂへ漏水するのを防止できるようになる。また本例では肉厚のドア隅パッキン５とヒレ状の隠蔽パッキン６とを組み合わせて使用しているため、パッキン材料の使用量を抑えることができると共に、ドア本体３の開閉時にドア隅パッキン５からの抵抗を小さくでき、ドア本体３の開閉操作をスムーズに行なえるという利点もある。
【００１７】
図４〜図６は本発明の他の実施形態を示しており、隠蔽パッキン６に排水用孔部８は設けられておらず、その代わりにドア隅パッキン５の傾斜面７の下端部７ａと対向するドア本体３の吊元側縦框４の一部に、吊元側縦枠２を水平方向に貫通する排水路１０を設け、この排水路１０の一端をドア隅パッキン５の傾斜面７の下端部７ａに連通させ、排水路１０の他端をドア本体３に設けたガラリ部９の上面９ａに連通させてある。ガラリ部９の上面９ａは先端程下方に傾斜しており、水切り板として機能する。このガラリ部９の上面９ａの上方に上記排水路１０の出口が配置されており、排水路１０からの湯水をガラリ部９を通じて浴室Ａ内へ排水できるようにしてある。また本例では、ドア本体３の排水路１０は、ドア隅パッキン５の傾斜面７と平面視で略直交方向に屈曲しており、この排水路１０の延長線上にガラリ部９の上面９ａが配置されている。尚、ドア隅パッキン５の上面に浴室Ａ側へ向かって下り勾配を有する傾斜面７を設けた点、及びドア本体３の吊元側縦框４の角隅部４ｃとこれに対向するドア隅パッキン５の内面５ａとをそれぞれ面取りした点は、前記実施形態と同様であり、対応する部分には同一符号を付して詳しい説明は省略する。
【００１８】
しかして、隠蔽パッキン６からドア本体３とドア枠１との隙間に湯水が浸入した場合、その湯水は図５、図６の矢印ロに示すように、ドア隅パッキン５の上面に設けた傾斜面７を流れ落ち、さらに方向を変えてドア本体３の排水路１０からドア本体３のガラリ部９の上面９ａを伝って浴室Ａ内に排水されるようになる。ここで、傾斜面７で水の流れに勢いがつき、排水路１０からガラリ部９の上面９ａにスムーズに排水されることとなり、ドア本体３に排水路１０を設けるだけで、簡単で且つ安価な構造で、浸入した湯水を浴室Ａ内にスムーズに排水できるようになる。そのうえ、ドア本体３のガラリ部９を利用して排水できるため、隠蔽パッキン６に上記実施形態の排水用孔部８（図１〜図３）を切欠き形成する必要がないため、排水用孔部８から湯水が入り込んだり、排水用孔部８を通してドア隅パッキン５が見えたりすることもなくなる。そのうえ排水路１０はガラリ部９に面しているため、排水路１０が浴室Ａ側から見え難いものであり、また仮りに浴室Ａ内の湯水が排水路１０に浸入しても、傾斜面７によって浴室Ａ側に戻されるようになる結果、ドア隅の防水性及び外観性を向上させることができるものである。
【００１９】
本発明のドア隅の防水構造は、片開き式の回転ドアに限らず、観音開き式のドア等にも広範囲に適用可能である。
【００２０】
【発明の効果】
上述のように請求項１記載の発明は、浴室の出入口となる開口にドア本体を回動自在に設けて開口を開閉自在にし、開口に設けるドア枠の吊元側縦枠の下部にドア本体の吊元側縦框の下部との間を気密的にシールするドア隅パッキンを設け、上記ドア本体の開閉時にドア本体の吊元側縦框とドア隅パッキンとが密着状態に保たれるように該吊元側縦框の角隅部とこれに対向するドア隅パッキンの内面とをそれぞれ面取りすると共に、ドア隅パッキンの上面に浴室側へ向かって下り勾配を有する傾斜面を設け、ドア隅パッキンの上方にドア枠の吊元側縦枠の上部とドア本体の吊元側縦框の上部との間を隠蔽する隠蔽パッキンを設け、隠蔽パッキンの一部にドア隅パッキンの傾斜面から浴室内へ通じる排水用孔部を設けたので、隠蔽パッキンからドア本体とドア枠との隙間に湯水が浸入した場合、その湯水はドア隅パッキンの上面に設けた傾斜面から隠蔽パッキンに設けた排水用孔部を通って浴室内へ排水されることとなる。またこのとき傾斜面で水の流れに勢いがつくので、排水用孔部から浴室内にスムーズに排水されるので、従来のように下枠に止水機構を設ける必要がなく、浴室出入口のバリアフリー化を実現しながら、脱衣室へ漏水するのを防止できるものである。さらに上記ドア本体の開閉時にドア本体の吊元側縦框とドア隅パッキンとが密着状態に保たれるように該吊元側縦框の角隅部とこれに対向するドア隅パッキンの内面とがそれぞれ面取りされているので、ドアの開閉時にドア本体とドア隅パッキンとの間に隙間が生じるのを防止でき、防水性及び外観性をより一層向上させることができるものである。
【００２１】
また請求項２記載の発明は、浴室の出入口となる開口にドア本体を回動自在に設けて開口を開閉自在にし、開口に設けるドア枠の吊元側縦枠の下部にドア本体の吊元側縦框の下部との間を気密的にシールするドア隅パッキンを設けると共に、ドア隅パッキンの上面に浴室側へ向かって下り勾配を有する傾斜面を設け、ドア本体にドア隅パッキンの傾斜面の下端部からドア本体に設けたガラリ部まで通じる排水路を設け、ガラリ部を通じて浴室内に排水するようにしたので、隠蔽パッキンからドア本体とドア枠との隙間に湯水が浸入した場合、その湯水はドア隅パッキンの上面に設けた傾斜面に沿って流れ落ち、さらにドア本体に設けた排水路からドア本体のガラリ部の上面を伝って浴室内に排水されることとなる。従って、ドア本体に排水路を設けただけの簡単で且つ安価な構造で、浸入した湯水を排水路からガラリ部を通じて浴室内へスムーズに排水できる結果、従来のように湯水がドア枠の下枠まで流れ落ちるのを防止できるので、下枠に従来のような止水機構を設けなくても、脱衣室へ漏水するのを防止できるようになり、浴室出入口のバリアフリー化を実現できると共に、ドア枠の吊元側縦枠の下部のみにドア隅パッキンを設け、ドア隅パッキンの上面に傾斜面を設け、且つその上方に隠蔽パッキンを設けたことで請求項１と同様な効果が得られる。
【図面の簡単な説明】
【図１】本発明の実施形態の一例を示す斜視図である。
【図２】同上の湯水の流れを説明する平面図である。
【図３】同上の湯水の流れを説明する側面図である。
【図４】本発明の他の実施形態を示す斜視図である。
【図５】同上の湯水の流れを説明する平面図である。
【図６】同上の湯水の流れを説明する側面図である。
【符号の説明】
１  ドア枠
２  吊元側縦枠
２ａ  下部
２ｂ  上部
３  ドア本体
４  吊元側縦框
４ａ  下部
４ｂ  上部
４ｃ  角隅部
５  ドア隅パッキン
６  隠蔽パッキン
７  傾斜面
７ａ  下端部
８  排水用孔部
９  ガラリ部
９ａ  上面
１０  排水路
Ａ  浴室
Ｂ  脱衣室
【図１】
0003898955.tif 000002
【図２】
0003898955.tif 000003
【図３】
0003898955.tif 000004
【図４】
0003898955.tif 000005
【図５】
0003898955.tif 000006
【図６】
0003898955.tif 000007